【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
マルチレイヤビデオデータを処理する方法であって、
色域スケーラビリティのための少なくとも１つの３次元（３Ｄ）ルックアップテーブルを生成することと、ここにおいて、前記少なくとも１つの３Ｄルックアップテーブルが、第１のクロマ成分および第２のクロマ成分の各々に関するのとは、ルーマ成分に関して異なるサイズを有し、前記少なくとも１つの３Ｄルックアップテーブルを生成することは、前記第１のクロマ成分および前記第２のクロマ成分の各々とは異なる数のセグメントを有するために前記ルーマ成分を区分することを含み、前記ルーマ成分に関するセグメントの前記数は、ビットストリームに含まれる１つまたは複数のシンタックス要素によって示される、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行することと、ここにおいて、前記第１の色域および前記第２の色域は、前記ビデオデータに関する同じ色空間内にある、
前記変換された色データに基づいて、前記ビデオデータの前記上位レイヤに関する少なくとも１つのレイヤ間参照ピクチャを生成することと
を備える、方法。
【請求項２】
前記少なくとも１つの３Ｄルックアップテーブルの前記サイズは、前記第１のクロマ成分および前記第２のクロマ成分の各々に関するよりも、前記ルーマ成分に関して大きい、請求項１に記載の方法。
【請求項３】
前記少なくとも１つの３Ｄルックアップテーブルは、前記第１のクロマ成分および前記第２のクロマ成分の各々に関するよりも多い、前記ルーマ成分に関するセグメントを有する、請求項１に記載の方法。
【請求項４】
前記少なくとも１つの３Ｄルックアップテーブルを生成することは、サイズＭ×Ｎ×Ｋを有するルーマ成分３Ｄルックアップテーブルを生成すること、ここにおいて、Ｍが、前記ルーマ成分３Ｄルックアップテーブルのルーマ次元に関するサイズを表し、Ｎが、前記ルーマ成分３Ｄルックアップテーブルの第１のクロマ次元に関するサイズを表し、Ｋが、前記ルーマ成分３Ｄルックアップテーブルの第２のクロマ次元に関するサイズを表し、ここにおいて、ＭがＮおよびＫの各々とは異なる、を備える、請求項１に記載の方法。
【請求項５】
前記少なくとも１つの３Ｄルックアップテーブルを生成することは、前記サイズＭ×Ｎ×Ｋを有する第１のクロマ成分３Ｄルックアップテーブルを生成することと、前記サイズＭ×Ｎ×Ｋを有する第２のクロマ成分３Ｄルックアップテーブルを生成することとをさらに備える、請求項４に記載の方法。
【請求項６】
前記少なくとも１つの３Ｄルックアップテーブルを生成することは、第１のサイズを有するルーマ成分３Ｄルックアップテーブルを生成することと、第２のサイズを有する第１のクロマ成分３Ｄルックアップテーブルを生成することと、第３のサイズを有する第２のクロマ成分３Ｄルックアップテーブルを生成することとを備え、ここにおいて、前記第１のサイズが前記第２のサイズおよび前記第３のサイズの各々とは異なる、請求項１に記載の方法。
【請求項７】
前記少なくとも１つの３Ｄルックアップテーブルを生成することは、第１の精度値を有するルーマ成分３Ｄルックアップテーブルを生成することと、第２の精度値を有する第１のクロマ成分３Ｄルックアップテーブルを生成することと、前記第２の精度値を有する第２のクロマ成分３Ｄルックアップテーブルを生成することとを備え、ここにおいて、前記第１の精度値が前記第２の精度値とは異なる、請求項１に記載の方法。
【請求項８】
前記少なくとも１つの３Ｄルックアップテーブルを生成することは、前記３Ｄルックアップテーブルに関するテーブルインデックスとして使用されている前記ルーマ成分に基づいて、前記３Ｄルックアップテーブルの第１のクロマ次元および第２のクロマ次元の各々に関するよりも多くの、前記３Ｄルックアップテーブルのルーマ次元に関するセグメントを使用して、不平衡３Ｄルックアップテーブルを生成することを備える、請求項１に記載の方法。
【請求項９】
前記少なくとも１つの３Ｄルックアップテーブルを生成することは、
ルーマ成分３Ｄルックアップテーブルに関するテーブルインデックスとして使用されている前記ルーマ成分に基づいて、第１のクロマ次元および第２のクロマ次元の各々よりも大きいルーマ次元を有する前記ルーマ成分３Ｄルックアップテーブルを生成することと、
第１のクロマ成分３Ｄルックアップテーブルに関するテーブルインデックスとして使用されている前記第１のクロマ成分に基づいて、ルーマ次元および第２のクロマ次元の各々よりも大きい第１のクロマ次元を有する前記第１のクロマ成分３Ｄルックアップテーブルを生成することと、
第２のクロマ成分３Ｄルックアップテーブルに関するテーブルインデックスとして使用されている前記第２のクロマ成分に基づいて、第１のクロマ次元およびルーマ次元の各々よりも大きい第２のクロマ次元を有する前記第２のクロマ成分３Ｄルックアップテーブルを生成することと
を備える、請求項１に記載の方法。
【請求項１０】
前記少なくとも１つの３Ｄルックアップテーブルを生成することは、ルーマ成分３Ｄルックアップテーブルを単に生成することを備える、請求項１に記載の方法。
【請求項１１】
色予測を実行することは、前記少なくとも１つの３Ｄルックアップテーブルを使用して、ルーマ成分予測を実行することを備え、前記方法は、線形マッピングまたは区分線形マッピングのうちの１つを使用して、第１のクロマ成分予測および第２のクロマ成分予測を実行することをさらに備える、請求項１に記載の方法。
【請求項１２】
前記少なくとも１つの３Ｄルックアップテーブルを使用して生成された前記少なくとも１つのレイヤ間参照ピクチャに基づいて、前記ビデオデータの前記上位レイヤのピクチャ中のビデオブロックを予測することと、
前記ビットストリーム内の前記予測されたビデオブロックの残差データを符号化することと、
前記ビットストリーム内の前記３Ｄルックアップテーブルの前記ルーマ成分に関するセグメントの前記数を示す、前記１つまたは複数のシンタックス要素を符号化することと、
をさらに備える、請求項１に記載の方法。
【請求項１３】
前記ビットストリームから、前記３Ｄルックアップテーブルの前記ルーマ成分に関するセグメントの前記数を示す、前記１つまたは複数のシンタックス要素を復号することと、
前記ビットストリームから、予測されたビデオブロックの残差データを復号することと、
前記復号された残差データと、前記少なくとも１つの３Ｄルックアップテーブルを使用して生成された前記少なくとも１つのレイヤ間参照ピクチャとに基づいて、前記ビデオデータの前記上位レイヤのピクチャ中の前記予測されたビデオブロックを再構成することと
をさらに備える、請求項１に記載の方法。
【請求項１４】
マルチレイヤビデオデータを処理するためのビデオ処理デバイスであって、
前記マルチレイヤビデオデータを記憶するように構成されたメモリと、
前記メモリと通信する１つまたは複数のプロセッサであって、
色域スケーラビリティのための少なくとも１つの３次元（３Ｄ）ルックアップテーブルを生成することと、ここにおいて、前記少なくとも１つの３Ｄルックアップテーブルが、第１のクロマ成分および第２のクロマ成分に関するのとはルーマ成分に関して異なるサイズを有し、前記１つまたは複数のプロセッサは、前記第１のクロマ成分および前記第２のクロマ成分の各々とは異なる数のセグメントを有するために前記ルーマ成分を区分することを行うように構成され、前記ルーマ成分に関するセグメントの前記数は、ビットストリームに含まれる１つまたは複数のシンタックス要素によって示される、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行することと、ここにおいて、前記第１の色域および前記第２の色域は、前記ビデオデータに関する同じ色空間内にある、
前記変換された色データに基づいて、前記ビデオデータの前記上位レイヤに関する少なくとも１つのレイヤ間参照ピクチャを生成することと
を行うように構成された、１つまたは複数のプロセッサと
を備える、ビデオ処理デバイス。
【請求項１５】
前記少なくとも１つの３Ｄルックアップテーブルの前記サイズは、前記第１のクロマ成分および前記第２のクロマ成分の各々に関するよりも、前記ルーマ成分に関して大きい、請求項１４に記載のデバイス。
【請求項１６】
前記少なくとも１つの３Ｄルックアップテーブルは、前記第１のクロマ成分および前記第２のクロマ成分の各々に関するよりも多い、前記ルーマ成分に関するセグメントを有する、請求項１４に記載のデバイス。
【請求項１７】
前記少なくとも１つの３Ｄルックアップテーブルを生成するために、前記１つまたは複数のプロセッサは、サイズＭ×Ｎ×Ｋを有するルーマ成分３Ｄルックアップテーブルを生成すること、ここにおいて、Ｍが、前記ルーマ成分３Ｄルックアップテーブルのルーマ次元に関するサイズを表し、Ｎが、前記ルーマ成分３Ｄルックアップテーブルの第１のクロマ次元に関するサイズを表し、Ｋが、前記ルーマ成分３Ｄルックアップテーブルの第２のクロマ次元に関するサイズを表し、ここにおいて、ＭがＮおよびＫの各々とは異なる、を行うように構成される、請求項１４に記載のデバイス。
【請求項１８】
前記１つまたは複数のプロセッサは、前記サイズＭ×Ｎ×Ｋを有する第１のクロマ成分３Ｄルックアップテーブルを生成することと、前記サイズＭ×Ｎ×Ｋを有する第２のクロマ成分３Ｄルックアップテーブルを生成することとを行うように構成される、請求項１７に記載のデバイス。
【請求項１９】
前記少なくとも１つの３Ｄルックアップテーブルを生成するために、前記１つまたは複数のプロセッサは、第１のサイズを有するルーマ成分３Ｄルックアップテーブルを生成することと、第２のサイズを有する第１のクロマ成分３Ｄルックアップテーブルを生成することと、第３のサイズを有する第２のクロマ成分３Ｄルックアップテーブルを生成することとを行うように構成され、ここにおいて、前記第１のサイズが前記第２のサイズおよび前記第３のサイズの各々とは異なる、請求項１４に記載のデバイス。
【請求項２０】
前記少なくとも１つの３Ｄルックアップテーブルを生成するために、前記１つまたは複数のプロセッサは、第１の精度値を有するルーマ成分３Ｄルックアップテーブルを生成することと、第２の精度値を有する第１のクロマ成分３Ｄルックアップテーブルを生成することと、前記第２の精度値を有する第２のクロマ成分３Ｄルックアップテーブルを生成することとを行うように構成され、ここにおいて、前記第１の精度値が前記第２の精度値とは異なる、請求項１４に記載のデバイス。
【請求項２１】
前記少なくとも１つの３Ｄルックアップテーブルを生成するために、前記１つまたは複数のプロセッサは、前記３Ｄルックアップテーブルに関するテーブルインデックスとして使用されている前記ルーマ成分に基づいて、前記３Ｄルックアップテーブルの第１のクロマ次元および第２のクロマ次元の各々に関するよりも多くの、前記３Ｄルックアップテーブルのルーマ次元に関するセグメントを使用して、不平衡３Ｄルックアップテーブルを生成するように構成される、請求項１４に記載のデバイス。
【請求項２２】
前記少なくとも１つの３Ｄルックアップテーブルを生成するために、前記１つまたは複数のプロセッサは、
ルーマ成分３Ｄルックアップテーブルに関するテーブルインデックスとして使用されている前記ルーマ成分に基づいて、第１のクロマ次元および第２のクロマ次元の各々よりも大きいルーマ次元を有する前記ルーマ成分３Ｄルックアップテーブルを生成することと、
第１のクロマ成分３Ｄルックアップテーブルに関するテーブルインデックスとして使用されている前記第１のクロマ成分に基づいて、ルーマ次元および第２のクロマ次元の各々よりも大きい第１のクロマ次元を有する前記第１のクロマ成分３Ｄルックアップテーブルを生成することと、
第２のクロマ成分３Ｄルックアップテーブルに関するテーブルインデックスとして使用されている前記第２のクロマ成分に基づいて、第１のクロマ次元およびルーマ次元の各々よりも大きい第２のクロマ次元を有する前記第２のクロマ成分３Ｄルックアップテーブルを生成することと
を行うように構成される、請求項１４に記載のデバイス。
【請求項２３】
前記少なくとも１つの３Ｄルックアップテーブルを生成するために、前記１つまたは複数のプロセッサは、ルーマ成分３Ｄルックアップテーブルを単に生成するように構成される、請求項１４に記載のデバイス。
【請求項２４】
前記１つまたは複数のプロセッサは、前記少なくとも１つの３Ｄルックアップテーブルを使用して、ルーマ成分予測を実行することと、線形マッピングまたは区分線形マッピングのうちの１つを使用して、第１のクロマ成分予測および第２のクロマ成分予測を実行することとを行うように構成される、請求項１４に記載のデバイス。
【請求項２５】
前記ビデオ処理デバイスはビデオ符号化デバイスを備え、前記１つまたは複数のプロセッサは、
前記少なくとも１つの３Ｄルックアップテーブルを使用して生成された前記少なくとも１つのレイヤ間参照ピクチャに基づいて、前記ビデオデータの前記上位レイヤのピクチャ中のビデオブロックを予測することと、
前記ビットストリーム内の前記予測されたビデオブロックの残差データを符号化することと、
前記ビットストリーム内の前記３Ｄルックアップテーブルの前記ルーマ成分に関するセグメントの前記数を示す、前記１つまたは複数のシンタックス要素を符号化することと
を行うように構成される、請求項１４に記載のデバイス。
【請求項２６】
前記ビデオ処理デバイスはビデオ復号デバイスを備え、前記１つまたは複数のプロセッサは、
前記ビットストリームから、前記３Ｄルックアップテーブルの前記ルーマ成分に関するセグメントの前記数を示す、前記１つまたは複数のシンタックス要素を復号することと、
前記ビットストリームから、予測されたビデオブロックの残差データを復号することと、
前記復号された残差データと、前記少なくとも１つの３Ｄルックアップテーブルを使用して生成された前記少なくとも１つのレイヤ間参照ピクチャとに基づいて、前記ビデオデータの前記上位レイヤのピクチャ中の前記予測されたビデオブロックを再構成することと
を行うように構成される、請求項１４に記載のデバイス。
【請求項２７】
マルチレイヤビデオデータを処理するためのビデオ処理デバイスであって、
色域スケーラビリティのための少なくとも１つの３次元（３Ｄ）ルックアップテーブルを生成するための手段と、ここにおいて、前記少なくとも１つの３Ｄルックアップテーブルが、第１のクロマ成分および第２のクロマ成分に関するのとはルーマ成分に関して異なるサイズを有し、前記少なくとも１つの３Ｄルックアップテーブルを生成するための前記手段は、前記第１のクロマ成分および前記第２のクロマ成分の各々とは異なる数のセグメントを有するために前記ルーマ成分を区分するための手段を含み、前記ルーマ成分に関するセグメントの前記数は、ビットストリームに含まれる１つまたは複数のシンタックス要素によって示される、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行するための手段と、ここにおいて、前記第１の色域および前記第２の色域は、前記ビデオデータに関する同じ色空間内にある、
前記変換された色データに基づいて、前記ビデオデータの前記上位レイヤに関する少なくとも１つのレイヤ間参照ピクチャを生成するための手段と
を備える、ビデオ処理デバイス。
【請求項２８】
マルチレイヤビデオデータを処理するための命令を記憶した非一時的コンピュータ可読記憶媒体であって、
前記命令は、実行されるとき、１つまたは複数のプロセッサに、
色域スケーラビリティのための少なくとも１つの３次元（３Ｄ）ルックアップテーブルを生成させ、ここにおいて、前記少なくとも１つの３Ｄルックアップテーブルが、第１のクロマ成分および第２のクロマ成分に関するのとはルーマ成分に関して異なるサイズを有し、前記命令は、前記１つまたは複数のプロセッサに、前記第１のクロマ成分および前記第２のクロマ成分の各々とは異なる数のセグメントを有するために前記ルーマ成分を区分させ、前記ルーマ成分に関するセグメントの前記数は、ビットストリームに含まれる１つまたは複数のシンタックス要素によって示される、
前記ビデオデータの下位レイヤに関する第１の色域内の参照ピクチャの色データを前記ビデオデータの上位レイヤに関する第２の色域に変換するために、前記少なくとも１つの３Ｄルックアップテーブルを使用して、色予測を実行させ、ここにおいて、前記第１の色域および前記第２の色域は、前記ビデオデータに関する同じ色空間内にある、
前記変換された色データに基づいて、前記ビデオデータの前記上位レイヤに関する少なくとも１つのレイヤ間参照ピクチャを生成させる、
非一時的コンピュータ可読記憶媒体。